(57)【要約】【課題】副光源の構造を簡略化できる照明器具を提供することを目的とする。【解決手段】照明器具１０は、造営材１１に支持される器具本体１２と、器具本体１２に支持される主光源部１３と、器具本体１２に支持される副光源部１５と、を備え、副光源部１５は、主光源部１３の周縁に配置されている。【選択図】図１
2018152363.tif 000002
【特許請求の範囲】
【請求項１】
造営材に支持される器具本体と、
前記器具本体に支持される主光源部と、
前記器具本体に支持される副光源部と、を備え、
前記副光源部は、前記主光源部の周縁に配置されている照明器具。
【請求項２】
請求項１に記載の照明器具であって、
前記副光源部は、
前記造営材とは反対側を向く化粧面を備える支持部材と、
前記化粧面に設けられた孔部と、
一部が前記化粧面から突出するように前記孔部に収容される副光源収容部材と、
前記副光源収容部材に収容され、前記副光源収容部材に設けられた開口から光を照射する副光源と、を有し、
前記副光源収容部材は、前記造営材の面方向に対して平行な回動軸を中心として前記支持部材に対して回動可能である照明器具。
【請求項３】
請求項２に記載の照明器具であって、
前記副光源部は、複数の前記副光源収容部材を有している照明器具。
【発明の詳細な説明】
【技術分野】
【０００１】
本発明は、器具本体に主光源部が支持され、器具本体に支持された副光源部が主光源部に隣り合うように配置される照明器具に関する。
【背景技術】
【０００２】
照明器具のなかには、器具本体の主光源の周部に枠体が設けられ、枠体の表面が造営材と略平行に配置され、枠体の開口内に球状の副光源が設けられ、副光源の配光方向が２方向に調整可能に支持されたものがある。具体的には、副光源が主光源のセードに隣り合って配置され、かつ、副光源が造営材の面方向に対して平行な軸線を中心として回動可能に支持されている。
よって、球状の副光源が軸線を中心として回動されることにより、副光源の配光方向が主光源のセード側とセードの反対側との２方向に調整される（特許文献１）。
【先行技術文献】
【特許文献】
【０００３】
【特許文献１】特開２００７−２１４０９６号公報
【発明の概要】
【発明が解決しようとする課題】
【０００４】
ところで、特許文献１の照明器具は、枠体における造営材とは反対側の面が、造営材に対して平行に配置され、かつ、主光源のセードに隣り合って配置されているとともに、造営材に設けられた副光源が回動可能となっている。
特許文献１の副光源は、造営材に対して平行に設けられた軸を中心として回動可能な外殻と、外殻の収容された球状の内殻とを備え、内殻内に光源が収容されている。
【０００５】
しかしながら、特許文献１の副光源は、外殻が一方向（外向き、内向き）にのみ回動可能であるとともに、外殻の内部に内殻を有する複雑な構造となっている。
【０００６】
本発明は、前述した課題を解決するためになされたものであり、その目的は、副光源の構造を簡略化できる照明器具を提供することにある。
【課題を解決するための手段】
【０００７】
本発明の照明器具は、造営材に支持される器具本体と、前記器具本体に支持される主光源部と、前記器具本体に支持される副光源部と、を備え、前記副光源部は、前記主光源部の周縁に配置されている。
【発明の効果】
【０００８】
本発明の照明器具によれば、副光源の構造を簡略化できる照明器具を提供できる。
【図面の簡単な説明】
【０００９】
【図１】本発明に係る第１実施形態の照明器具を示す斜視図
【図２】図１の照明器具を上方から見た状態を示す斜視図
【図３】図２の副光源部の保持部材および副光源収容部材の関係を示す斜視図
【図４】図１のＩ部拡大図
【図５】図１のＩＩ−ＩＩ線断面図
【図６】図２の保持部材および副光源収容部材を拡大した状態を示す斜視図
【図７】図６の保持部材および副光源収容部材の関係を示す断面図
【図８】変形例１の照明器具を示す断面図
【図９】図８の副光源収容部材を回動させた状態を示す断面図
【図１０】変形例２の照明器具を示す断面図
【図１１】本発明に係る第２実施形態の照明器具の副光源部を示す斜視図
【図１２】図１１のＩＩＩ−ＩＩＩ線断面図
【発明を実施するための形態】
【００１０】
以下、実施形態に係る照明器具について図面を参照して説明する。
（第１実施形態）
図１、図２に示すように、照明器具１０は、造営材１１に支持される器具本体１２と、器具本体１２に支持される主光源部１３と、器具本体１２に支持されるとともに主光源部１３に隣り合う副光源部１５とを備えている。
【００１１】
造営材１１は、例えば、住宅のリビングや寝室、玄関などの天井を形成する部材である。造営材１１に器具本体１２が支持されている。
主光源部１３は、器具本体１２に支持されるＬＥＤ（Light-emitting Diode）の主光源２１およびＬＥＤの常夜灯（図示せず）と、主光源２１および常夜灯を下方から覆うセード２２とを備えている。
【００１２】
副光源部１５は、造営材１１とは反対側を向く化粧面２６を備える支持部材２５と、化粧面２６に設けられた複数の孔部２７と、複数の孔部２７に収容される副光源収容部材３０とを有する。
また、副光源部１５は、副光源収容部材３０に収容されるＬＥＤの副光源３１と、複数の副光源収容部材３０を支持する保持部材３２とを有する。
【００１３】
図３、図４に示すように、副光源収容部材３０が例えば一部（上半分）がアルミダイカスト等の金属により略球形状に形成され、副光源収容部材３０の外部が球面４１に形成されている。この副光源収容部材３０が保持部材３２に回動軸を中心として回動自在に支持されている。回動軸は、造営材１１（図１参照）の面方向に対して平行に延びる仮想軸である。
このため、後述するように、回動軸を中心として副光源収容部材３０を矢印Ａ方向や矢印Ｂ方向（図１も参照）などの任意の上下方向に回動させることができる。
【００１４】
すなわち、副光源収容部材３０が支持部材２５に対して矢印Ａ方向や矢印Ｂ方向などの任意の上下方向に回動可能に配置される。
矢印Ａ方向は、副光源３１を主光源部１３（図１参照）の径方向に交差する方向に延びる回動軸を中心として回動させる方向である。矢印Ｂ方向は、副光源３１を主光源部１３の径方向に延びる回動軸を中心として回動させる方向である。
【００１５】
この状態において、図５に示すように、副光源収容部材３０の一部（すなわち、下部）３０Ａが化粧面２６から下方に突出するように副光源収容部材３０が孔部２７に収容されている。
副光源収容部材３０の一部３０Ａに開口３５が設けられ、開口３５に透過性のカバー３６が取り付けられている。開口３５（すなわち、カバー３６）の上方に副光源３１が配置された状態で副光源収容部材３０の内部に収容されている。
【００１６】
ここで、開口３５が化粧面２６の稜線４８（後述する）に対応する位置に配置されるように副光源収容部材３０が配向された状態において、開口３５が化粧面２６の孔部２７より下方の外部に露出される。
この状態において、副光源３１の光が造営材１１とは反対側を向く方向（すなわち、矢印Ｃ方向）に照射される。
【００１７】
図６、図７に示すように、保持部材３２は、器具本体１２の外周部で、かつ、主光源部１３の半径方向外方に設けられる下保持部材３７および上保持部材３８を備えている。下保持部材３７は、支持部材２５の上面側に配置されている。
下保持部材３７に形成された保持開口の周縁に複数の下保持面３９を備えている。
【００１８】
複数の下保持面３９は、副光源収容部材３０の球面４１のうち側面４１Ａに面接触するように形成されている。
以下、構成の理解を容易にするために、複数の下保持面３９のうち、セード２２側のものを第１下保持面３９Ａ、セード２２側の反対側のものを第２下保持面３９Ｂとして説明する。
【００１９】
第１下保持面３９Ａおよび第２下保持面３９Ｂ間の最大離間寸法Ｌ１が、副光源収容部材３０の最大直径寸法Ｌ２よりも小さく決められている。よって、第１下保持面３９Ａおよび第２下保持面３９Ｂが副光源収容部材３０の球面４１（すなわち、側面４１Ａ）に面接触することにより、第１下保持面３９Ａおよび第２下保持面３９Ｂに副光源収容部材３０が載置される。
すなわち、一部が金属製の副光源収容部材３０の自重が第１下保持面３９Ａおよび第２下保持面３９Ｂで支えられる。
【００２０】
また、下保持部材３７の上方に上保持部材３８が配置され、上保持部材３８に上保持面４３が備えられている。上保持面４３は、副光源収容部材３０の球面４１のうち上面４１Ｂに面接触するように形成されている。
このように、第１下保持面３９Ａおよび第２下保持面３９Ｂが側面４１Ａに面接触され、上保持面４３が副光源収容部材３０の上面４１Ｂに面接触されることにより、副光源収容部材３０が回動軸を中心として矢印Ａ方向や矢印Ｂ方向（図１も参照）などの任意の上下方向に回動自在に支持されている。
【００２１】
なお、副光源収容部材３０は、球面４１に設けられた突起４１Ｃ（図３、図６参照）が上保持部材３８の裏側に設けられた壁部３８Ａ（図５参照）に当接する範囲で矢印Ａ方向や矢印Ｂ方向の回動範囲が規制されている。
また、図３に示すように、器具本体１２に設けられた給電コネクタ１２Ａと、副光源収容部材３０とが電源ケーブル１２Ｂにより接続されている。
このため、副光源収容部材３０の回動範囲が規制されているため、副光源収容部材３０の回動に伴って電源ケーブル１２Ｂが必要以上に引っ張られることがなく、電源ケーブル１２Ｂに断線等の虞れが少ない。
【００２２】
さらに、副光源収容部材３０の自重が第１下保持面３９Ａおよび第２下保持面３９Ｂで支えられる。これにより、副光源収容部材３０の球面４１および第１下保持面３９Ａ間の摩擦力が確保され、かつ、副光源収容部材３０の球面４１および第２下保持面３９Ｂ間の摩擦力が十分に確保される。
【００２３】
加えて、上保持面４３が副光源収容部材３０の上面４１Ｂに面接触されることにより、副光源収容部材３０の上面４１Ｂおよび上保持面４３間の摩擦力が確保される。これにより、副光源収容部材３０（すなわち、副光源３１）を所望の配光方向に向けた状態に保持できる。
【００２４】
さらに、第１下保持面３９Ａ、第２下保持面３９Ｂおよび上保持面４３は、表面粗さが、副光源収容部材３０の球面４１の表面粗さよりも粗く形成されている。よって、第１下保持面３９Ａ、第２下保持面３９Ｂおよび上保持面４３を副光源収容部材３０の球面４１に面接触させることにより摩擦力を十分に確保できる。
これにより、副光源収容部材３０（すなわち、副光源３１）を所望の配光方向に向けた状態に一層良好に保持できる。
【００２５】
図４、図５に戻って、下保持部材３７の下側に支持部材２５が配置された状態において、器具本体１２の外周部に取り付けられている。支持部材２５は、造営材１１とは反対側を向く化粧面２６を備えている。さらに、支持部材２５にはリモコン受信部５２および状態表示ＬＥＤ５３（図１参照）が設けられている。
【００２６】
化粧面２６は、主光源部１３と反対側に形成された外向傾斜面４６と、主光源部１３側に形成された内向傾斜面４７と、外向傾斜面４６および内向傾斜面４７間に形成された稜線４８とを有する。
化粧面２６は、外向傾斜面４６および内向傾斜面４７で断面略Ｖ字状に形成されている。さらに、外向傾斜面４６と内向傾斜面４７との間（すなわち、交差部）に、下方に向けて突出する稜線４８が形成される。稜線４８、外向傾斜面４６および内向傾斜面４７に亘って孔部２７が形成されている。
【００２７】
外向傾斜面４６は、主光源部１３とは反対側を向くように主光源部１３に対して傾斜するように形成されている。具体的には、外向傾斜面４６は、稜線４８から主光源部１３の反対側に向けて上り勾配に傾斜されている。
これにより、孔部２７のうち外向傾斜面４６に相当する外部位２７Ａが上方に形成される。
【００２８】
内向傾斜面４７は、外向傾斜面４６に隣り合うとともに、主光源部１３を向くように主光源部１３に対して傾斜するように形成されている。具体的には、内向傾斜面４７は、稜線４８から主光源部１３に向けて上り勾配の曲面に形成されている。
これにより、孔部２７のうち内向傾斜面４７に相当する内部位２７Ｂが上方に形成される。
【００２９】
さらに、内向傾斜面４７は、主光源部１３に対して凹状の曲面に形成されている。よって、主光源部１３（図１参照）から照射される光が内向傾斜面４７で反射される際に、照射光の入射角が内向傾斜面４７の部位において一様にならないように変えられる。
【００３０】
このように、化粧面２６が外向傾斜面４６および内向傾斜面４７で断面略Ｖ字状に形成されている。さらに、化粧面２６の外向傾斜面４６と内向傾斜面４７との間の稜線４８に対応する位置に副光源収容部材３０の開口３５が配置される。
よって、孔部２７の外部位２７Ａや内部位２７Ｂが副光源収容部材３０の開口３５に対して上方に配置される。これにより、副光源収容部材３０を内向傾斜面４７側や外向傾斜面４６側に向けて、特に、矢印Ａ方向に回動させた状態において、開口３５を孔部２７から外部に露出させることができる。
【００３１】
すなわち、副光源収容部材３０を内向傾斜面４７側や外向傾斜面４６側に向けて回動させた状態において、副光源３１から照射される光を支持部材２５で反射されること（換言すれば、支持部材２５で光が遮られること）を防止できる。
これにより、副光源３１から照射される光を開口３５から室内などに出射させることができ、副光源３１の光量の低下が抑えられる。
【００３２】
すなわち、本実施形態の照明器具１０によれば、副光源収容部材３０が造営材１１（図１参照）の面方向に対して平行に延びる回動軸（仮想軸）を中心として回動自在に支持されている。
このため、本実施形態の照明器具１０によれば、副光源部１５を回動させるための構造が従来のように複雑ではなく、簡略化された構造となっている。
【００３３】
なお、このような構造において、セード２２とは反対側に副光源部１５を一定の角度以上に回動させた場合、例えば造営材１１に対して化粧面２６が平行であると、孔部２７の縁部に副光源３１の光の一部が遮られる可能性がある。
これに対して、本実施形態の照明器具１０によれば、化粧面２６が外向傾斜面４６を有するため、造営材１１に化粧面２６が平行であるに比較して孔部２７の縁部に光の一部が遮られることなく副光源部１５を一定の角度以上に回動させることが可能となっている。
また、本実施形態の照明器具１０によれば、化粧面２６が内向傾斜面４７を有するため、セード２２とは反対側に副光源部１５を回動させた場合についても、同様の効果が得られる。
【００３４】
ここで、副光源収容部材３０が造営材１１とは反対側を向く方向（矢印Ｃ方向）に副光源３１の光が照射されるように配向された状態において、開口３５の中心５１が稜線４８よりも外向傾斜面４６側に距離Ｓだけ離れた状態に配置されている。
【００３５】
よって、副光源３１から照射される光が内向傾斜面４７側で遮られて、外向傾斜面４６側に出射されなくなる量を少なく抑えることができる。これにより、副光源３１から照射される光を、内向傾斜面４７側に比して外向傾斜面４６側に良好に出射させることができ、リビングや寝室、玄関などの空間の隅々まで好適に配光させることができる。
【００３６】
また、内向傾斜面４７は、主光源部１３から照射された光の入射角が一様にならないように凹状の曲面に形成されている。よって、主光源部１３から照射された光が内向傾斜面４７で反射されることにより、反射される光に濃淡を生じさせることができる。
これにより、主光源部１３を点灯させた状態において、照明器具１０の意匠性を高めることができる。
【００３７】
以上説明したように、照明器具１０は、造営材１１に支持される器具本体１２と、器具本体１２に支持される主光源部１３と、器具本体１２に支持されるとともに主光源部１３に隣り合う副光源部１５とを備えている。
【００３８】
また、副光源部１５は、造営材１１とは反対側を向く化粧面２６を備える支持部材２５と、化粧面２６に設けられた孔部２７と、一部３０Ａが化粧面２６から突出するように孔部２７に収容される副光源収容部材３０とを有する。さらに、副光源部１５は、副光源収容部材３０に収容され、副光源収容部材３０に設けられた開口３５から光を照射する副光源３１を有する。
【００３９】
さらに、副光源収容部材３０は、造営材１１の面方向に対して平行な回動軸を中心として支持部材２５に対して回動可能である。また、化粧面２６は、主光源部１３とは反対側を向くように主光源部１３に対して傾斜する外向傾斜面４６を有する。
【００４０】
ここで、化粧面２６は、外向傾斜面４６に隣り合うとともに、主光源部１３を向くように主光源部１３に対して傾斜する内向傾斜面４７を有する。
さらに、造営材１１とは反対側を向く方向に副光源３１の光が照射されるように副光源収容部材３０が配向された状態では、外向傾斜面４６と内向傾斜面４７との間の稜線４８に対応する位置に開口３５が配置される。
【００４１】
また、造営材１１とは反対側を向く方向に副光源３１の光が照射されるように副光源収容部材３０が配向された状態では、開口３５の中心が稜線４８よりも外向傾斜面４６側に配置される。さらに、内向傾斜面４７は、凹状の曲面に形成されている。
【００４２】
また、副光源収容部材３０は略球形状であるとともに、副光源収容部材３０の球面４１に対して面接触する下保持面３９、上保持面４３を備える保持部材３２が支持部材２５に設けられる。さらに、球面４１の表面粗さよりも下保持面３９、上保持面４３の表面粗さが粗く形成されている。
【００４３】
また、副光源収容部材３０は略球形状であるとともに、副光源収容部材３０の球面４１に対して面接触する複数の下保持面３９（３９Ａ、３９Ｂ）、上保持面４３を備える保持部材３２が支持部材２５に設けられている。
さらに、第１下保持面３９Ａ、第２下保持面３９Ｂ間の最大離間寸法Ｌ１が副光源収容部材３０の最大直径寸法Ｌ２よりも小さく決められている。
【００４４】
（変形例１）
第１実施形態の照明器具１０では、化粧面２６に外向傾斜面４６と内向傾斜面４７と有する例について説明したが、図８に示すように、化粧面２６に外向傾斜面４６のみを有することも可能である。
【００４５】
化粧面２６に外向傾斜面４６のみが形成されることにより外向傾斜面４６に孔部２７が形成されている。また、副光源収容部材３０の一部３０Ａが孔部２７（すなわち、外向傾斜面４６）から下方に突出するように副光源収容部材３０が孔部２７に収容されている。
よって、孔部２７のうち外向傾斜面４６に相当する外部位２７Ａが一部３０Ａの開口３５に対して上方に形成される。
【００４６】
変形例１によれば、図９に示すように、副光源収容部材３０を外向傾斜面４６の外側に向けて回動させた状態において、開口３５を孔部２７から下側外部に露出させることができる。
すなわち、副光源収容部材３０を外向傾斜面４６の外側に向けて、特に、矢印Ａ方向に回動させた状態において、副光源３１から照射される光を支持部材２５で反射されること（換言すれば、支持部材２５で光が遮られること）を防止できる。
これにより、副光源３１から照射される光を開口３５から室内などに出射させることができ、副光源３１の光量の低下が抑えられる。
【００４７】
（変形例２）
第１実施形態の照明器具１０では、外向傾斜面４６と内向傾斜面４７との間の稜線４８に対応する位置として、開口３５の中心５１を稜線４８よりも外向傾斜面４６側に配置する例について説明したが、これに限定するものではない。
例えば、図１０に示すように、稜線４８に対応する位置として、開口３５の中心５１を稜線４８に合わせることも可能である。
【００４８】
このように、開口３５の中心５１を稜線４８に合わせた状態においても、孔部２７の外部位２７Ａや内部位２７Ｂが副光源収容部材３０の開口３５に対して上方に配置される。
よって、副光源収容部材３０を内向傾斜面４７側や外向傾斜面４６側に向けて、特に、矢印Ａ方向や矢印Ｂ方向（矢印Ｂ方向は図１参照）に回動させた状態において、開口３５を孔部２７から下側外部に露出させることができる。
【００４９】
すなわち、副光源収容部材３０を内向傾斜面４７側や外向傾斜面４６側に向けて回動させた状態において、副光源３１から照射される光を支持部材２５で反射されること（換言すれば、支持部材２５で光が遮られること）を防止できる。
これにより、副光源３１から照射される光を開口３５から室内などに出射させることができ、副光源３１の光量の低下が抑えられる。
【００５０】
次に、第２実施形態を図１１、図１２に基づいて説明する。
なお、第２実施形態において第１実施形態の各構成部材と同一、類似部材については第１実施形態と同じ符号を付して詳しい説明を省略する。
【００５１】
（第２実施形態）
図１１、図１２に示すように、照明器具６０は、第１実施形態の化粧面２６を化粧面６１に代えたもので、その他の構成は第１実施形態の照明器具１０と同様である。
【００５２】
化粧面６１は、第１実施形態の化粧面２６に孔部２７から稜線４８に沿った所定位置Ｐ１まで一対の凹部６２が設けられたもので、その他の構成は第１実施形態の化粧面２６と同様である。
【００５３】
具体的には、凹部６２は、孔部２７から稜線４８に沿った一対の所定位置Ｐ１まで両側に向けてそれぞれ延ばされている。凹部６２は、孔部２７から所定位置Ｐ１に向かうに従って下方に傾斜するように延びることにより略三角形状に形成されている。
このように、孔部２７から稜線４８に沿った所定位置Ｐ１まで一対の凹部６２を設けることにより、孔部２７のうち一対の凹部６２に相当する部位２７Ｃが副光源収容部材３０の開口３５に対して上方に形成される。
【００５４】
よって、副光源収容部材３０が主光源部１３の径方向を中心として一対の凹部６２側（特に、矢印Ｂ方向）に回動された状態において、開口３５が孔部２７から下側外部に露出された状態に保たれる。
すなわち、副光源収容部材３０が一対の凹部６２側に向けて回動された状態において、開口３５が孔部２７の下方に配置される。
【００５５】
開口３５が孔部２７の下方に配置されることにより、副光源３１から照射される光が支持部材２５で反射されること（換言すれば、支持部材２５で光が遮られること）を防止できる。これにより、副光源３１から照射される光を開口３５から室内などに出射させることができ、副光源３１の光量の低下が抑えられる。
【００５６】
なお、本発明の照明器具は、前述した実施形態に限定されるものではなく適宜変更、改良等が可能である。
例えば、前記第２実施形態では、化粧面６１に凹部６２を形成して照射光を支持部材２５で遮らないようにする例について説明したが、これに限定するものではなく、凹部６２に代えて孔などの他の形状で照射光を遮らないようにすることも可能である。
【００５７】
また、第１実施形態、第２実施形態で使用した照明器具、造営材、器具本体、主光源部、副光源部、支持部材、化粧面、孔部、副光源収容部材、副光源、保持部材、開口、第１、第２の下保持面、球面、上保持面、外向傾斜面、内向傾斜面、稜線および凹部等の形状や構成は例示したものに限定するものではなく適宜変更が可能である。
【符号の説明】
【００５８】
１０、６０  照明器具
１１    造営材
１２    器具本体
１３    主光源部
１５    副光源部
２５    支持部材
２６、６１  化粧面
２７    孔部
３０    副光源収容部材
３０Ａ  副光源収容部材の下部（一部）
３１    副光源
３２    保持部材
３５    開口
３９、３９Ａ、３９Ｂ  第１、第２の下保持面（保持面）
４１    球面
４３    上保持面（保持面）
４６    外向傾斜面
４７    内向傾斜面
４８    稜線
６２    凹部
【図１】
2018152363.tif 000003
【図２】
2018152363.tif 000004
【図３】
2018152363.tif 000005
【図４】
2018152363.tif 000006
【図５】
2018152363.tif 000007
【図６】
2018152363.tif 000008
【図７】
2018152363.tif 000009
【図８】
2018152363.tif 000010
【図９】
2018152363.tif 000011
【図１０】
2018152363.tif 000012
【図１１】
2018152363.tif 000013
【図１２】
2018152363.tif 000014